(57)【要約】      （修正有）【課題】腰折れすがり屋根における防水性を確保させやすい腰折れすがり屋根の施工構造を提供する。【解決手段】本体屋根１２とすがり屋根１１を腰折れ部１４を介して配する。すがり屋根１１のケラバにケラバ水切り２０を備える。本体屋根１２の軒１３とすがり屋根１１のケラバの交差部に腰折れすがり水切り３０を備える。腰折れ部１４に腰折れ水切り５０を備える。腰折れすがり水切り３０は、本体屋根１２からすがり屋根１１のケラバ水切り２０の棟側端部に被さる被せ部３３と、被せ部３３の腰折れ部１４側の側部から腰折れ部１４の方向に延設され腰折れ部１４に沿うよう屈曲する屈曲水切り片３０１とを備える。腰折れ水切り５０は、腰折れ部１４の近傍において、本体屋根１２の屋根材４１と野地板の間に位置する本体屋根側水切り片５０１と、すがり屋根１１の屋根材４０に被さるすがり屋根側水切り片５０２とを備える。【選択図】図２
2020186555.tif 000002
【特許請求の範囲】
【請求項１】
本体屋根とすがり屋根を腰折れ部を介して配し、
前記すがり屋根のケラバにケラバ水切りを備え、
前記本体屋根の軒と前記すがり屋根のケラバの交差部に腰折れすがり水切りを備え、
前記腰折れ部に腰折れ水切りを備え、
前記腰折れすがり水切りは、前記本体屋根から前記すがり屋根の前記ケラバ水切りの棟側端部に被さる被せ部と、前記被せ部の前記腰折れ部側の側部から前記腰折れ部の方向に延設され前記腰折れ部に沿うよう屈曲する屈曲水切り片とを備え、
前記腰折れ水切りは、前記腰折れ部の近傍において、前記本体屋根の屋根材と野地板の間に位置する本体屋根側水切り片と、前記すがり屋根の屋根材に被さるすがり屋根側水切り片とを備える、
腰折れすがり屋根の施工構造。
【請求項２】
前記腰折れすがり水切りは、前記被せ部の前記本体屋根の軒側の側部から前記本体屋根の軒の方向に延設される平板水切り片を備え、
前記平板水切り片は、軒側端部が前記本体屋根の軒より外方に突出して位置し、前記被せ部から離反する方向に雨水を誘導する誘導片を備える、
請求項１に記載の腰折れすがり屋根の施工構造。
【請求項３】
前記腰折れすがり水切りは、前記被せ部の棟側端部の高さ位置と、前記被せ部の棟側に隣接して配置される前記本体屋根の屋根材の上面の高さ位置とが同等である、
請求項１又は２に記載の腰折れすがり屋根の施工構造。
【請求項４】
前記腰折れ部は、谷折れ状である、
請求項１乃至３のいずれか１項に記載の腰折れすがり屋根の施工構造。
【請求項５】
前記腰折れ水切りは、前記本体屋根側水切り片と前記すがり屋根側水切り片を谷折れ状の谷折れ部を介して配し、
前記谷折れ部が前記腰折れ部よりも棟側に位置している、
請求項１乃至４のいずれか１項に記載の腰折れすがり屋根の施工構造。
【発明の詳細な説明】
【技術分野】
【０００１】
本発明は、腰折れすがり屋根の施工構造に関し、より詳細には、腰折れ屋根の本体屋根とすがり屋根の境界部分の施工構造に関する。
【背景技術】
【０００２】
特許文献１には、建物の屋根構造が記載されている。この屋根構造は、屋根の一部を他の部分よりも軒先側に延長してなる葺き下ろし部を備えている。前記葺き下ろし部の軒方向の前記他の部分側の端部には、当該端部に沿って延びるのぼり木と、こののぼり木を覆うカバー部材とが配置されている。前記カバー部材は、当該カバー部材の棟側端部に当該端部よりも前記他の部分の軒先側に突出して雨水を当該他の部分の軒先側に導く導水部を有している。そして、上記屋根構造では、けらばのカバー部材の外側面に沿って流れる雨水を抑制することにより、防水性を向上させようとしている。
【先行技術文献】
【特許文献】
【０００３】
【特許文献１】特開２０１７−９５９７６号公報
【発明の概要】
【発明が解決しようとする課題】
【０００４】
しかし、上記屋根構造では、葺き下ろし部の基部で勾配が変化する腰折れ屋根の場合、カバー部材と屋根材との間に隙間が生じることがあり、防水性を確保するのが困難である。
【０００５】
本発明は、上記事由に鑑みてなされており、腰折れすがり屋根における防水性を確保させやすい腰折れすがり屋根の施工構造を提供することを目的とする。
【課題を解決するための手段】
【０００６】
本発明の一態様に係る腰折れすがり屋根の施工構造は、本体屋根とすがり屋根を谷折れ状の腰折れ部を介して配する。前記すがり屋根のケラバにケラバ水切りを備える。前記本体屋根の軒と前記すがり屋根のケラバの交差部（Ｘ）に腰折れすがり水切りを備える。前記腰折れ部に腰折れ水切りを備える。前記腰折れすがり水切りは、前記本体屋根から前記すがり屋根の前記ケラバ水切りの棟側端部に被さる被せ部と、前記被せ部の前記腰折れ部側の側部から前記腰折れ部の方向に延設され前記腰折れ部に沿うよう屈曲する屈曲水切り片とを備える。前記腰折れ水切りは、前記腰折れ部の近傍において、前記本体屋根の屋根材と野地板の間に位置する本体屋根側水切り片と、前記すがり屋根の屋根材に被さるすがり屋根側水切り片とを備える。
【発明の効果】
【０００７】
本発明によれば、前記すがり屋根のケラバにケラバ水切りを備え、前記本体屋根の軒と前記すがり屋根のケラバの交差部に腰折れすがり水切りを備え、前記腰折れ部に腰折れ水切りを備え、前記腰折れすがり水切りは、前記本体屋根から前記すがり屋根の前記ケラバ水切りの棟側端部に被さる被せ部と、前記被せ部の前記腰折れ部側の側部から前記腰折れ部の方向に延設され前記腰折れ部に沿うよう屈曲する屈曲水切り片とを備え、前記腰折れ水切りは、前記腰折れ部の近傍において、前記本体屋根の屋根材と野地板の間に位置する本体屋根側水切り片と、前記すがり屋根の屋根材に被さるすがり屋根側水切り片とを備えるため、腰折れすがり屋根の谷折れ状の腰折れ部、特に前記本体屋根の軒と前記すがり屋根のケラバの交差部における防水性を確保させやすい、という利点がある。
【図面の簡単な説明】
【０００８】
【図１】図１は、本実施形態に係る腰折れすがり屋根の施工構造の一実施形態を示す斜視図である。
【図２】図２は、同上の図１のＸ部分を示す拡大した平面図である。
【図３】図３は、同上の図２におけるＸ１−Ｘ１断面、Ｘ２−Ｘ２断面、Ｘ３−Ｘ３断面、Ｘ４−Ｘ４断面の各々を示す断面図である。
【図４】図４Ａは、同上のすがり屋根の軒とケラバを示す斜視図である。図４Ｂは、同上のすがり屋根の軒とケラバを示す斜視図である。
【図５】図５は、同上のすがり屋根の軒方向と平行な断面を示す断面図である。
【図６】図６Ａは、同上の図１のＸ部分の施工途中を示す拡大した斜視図である。図６Ｂは、同上の図１のＸ部分の施工途中を示す拡大した斜視図である。
【図７】図７Ａは、同上の図１のＸ部分の施工途中を示す拡大した斜視図である。図７Ｂは、同上の図１のＸ部分の施工途中を示す拡大した斜視図である。
【発明を実施するための形態】
【０００９】
（実施形態）
図１に切妻屋根の場合の本実施形態に係る腰折れすがり屋根１の施工構造を示す。腰折れすがり屋根１は、本体屋根１２と、すがり屋根１１を谷折れ状の腰折れ部１４を介して配されている。本体屋根１２は、棟１５の両側から下方に向かう平面視でほぼ四角形の傾斜面１６、１６´により山形に形成されている。すがり屋根１１は平面視でほぼ四角形に形成されており、本体屋根１２の一方の傾斜面１６の軒１３より外方に突出して設けられている。すなわち、腰折れすがり屋根１は、本体屋根１２とすがり屋根１１とを備えてなり、すがり屋根１１は本体屋根１２の軒１３よりも前方（棟と反対側）に突出し、谷折れ状の腰折れ部１４を介して本体屋根１２に連続して形成されている。腰折れ部１４は本体屋根１２の軒１３の延長線上にほぼ沿って形成されている。すがり屋根１１は、本体屋根１２よりも軒方向の寸法が小さく形成されている。
【００１０】
すなわち、すがり屋根１１は本体屋根１２と勾配が異なるように谷折れ状の腰折れ部１４を介して形成されている。すがり屋根１１は本体屋根１２よりも勾配が緩やかな緩勾配に形成されている。例えば、すがり屋根１１は３．５／１０勾配、本体屋根１２は５／１０勾配とすることができる。
【００１１】
そして、本実施形態に係る腰折れすがり屋根１の施工構造は、腰折れすがり屋根１の谷折れ状の腰折れ部１４、特に前記本体屋根１２の軒１３と前記すがり屋根１１のケラバ１８の交差部である図１のＸ部分の防水構造である。
【００１２】
図２はＸ部分の平面図を示している。図３は図２におけるＸ１−Ｘ１断面、Ｘ２−Ｘ２断面、Ｘ３−Ｘ３断面、Ｘ４−Ｘ４断面の各々を示している。本実施形態に係る腰折れすがり屋根１のすがり屋根１１の施工構造は、主に、ケラバ水切り２０、腰折れすがり水切り３０、腰折れ水切り５０を備えて形成されている。
【００１３】
本実施形態に係る腰折れすがり屋根１の施工構造は、以下のようにして施工する。まず、図４Ａに示すように、すがり屋根１１の構成要素である野地板１１１の軒１７に軒先水切り６３を取り付ける。軒先水切り６３は野地板１１１の軒側端部のほぼ全長にわたって設けられている。また、図６Ａに示すように、本体屋根１２の構成要素である野地板１２１の軒１３に軒先水切り７１を取り付ける。軒先水切り７１は軒１３のほぼ全長にわたって設けられている。
【００１４】
次に、すがり屋根１１の構成要素である野地板１１１の上に下葺き材６１を配置する。下葺き材６１としては、アスファルトルーフィングなどの防水性のあるシート材を使用することができる。下葺き材６１は軒１７から腰折れ部１４及び棟１５方向に順次配置される。軒側端部の下葺き材６１は軒先水切り６３の上に被さるように配置され、次の下葺き材６１は軒側端部を軒側の下葺き材６１の棟側端部の上に１００ｍｍ以上の重ね代を確保して被さるように配置される。下葺き材６１は、すがり屋根１１の野地板１１１の上に全面にわたって配置される。また下葺き材６１は、すがり屋根１１の野地板１１１の上だけでなく、本体屋根１２の構成要素である野地板１２１の上に達するように配置される。すなわち、下葺き材６１は腰折れ部１４を挟んで野地板１１１の上と野地板１２１の上とにわたるように配置されている（図６Ａ、図６Ｂ参照）。更に、下葺き材６１は交差部付近の軒先水切り７１の上に被さるよう野地板１２１の上に軒１３に沿って配置される。
【００１５】
次に、図４Ａに示すように、すがり屋根１１のケラバ１８にのぼり木６０を取り付ける。のぼり木６０は野地板１１１のケラバ側端部において下葺き材６１の上に配置される。のぼり木６０は野地板１１１のケラバ側端部の略全長に沿って設けられる。
次に、図４Ｂに示すように、端部下葺き材６２が配置される。端部下葺き材６２は野地板１１１のケラバ側端部において、のぼり木６０の上面から下葺き材６１の上にわたって配置される。端部下葺き材６２は野地板１１１のケラバ側端部の略全長に沿って設けられる。
【００１６】
次に、図６Ａに示すように、すがり屋根１１のケラバ１８にケラバ水切り２０を取り付ける。
【００１７】
ケラバ水切り２０は鋼板を折り曲げ加工して形成されており、上面部２２、外垂下部２３、庇部２４、内垂下部２５及び下面部２６を備えて形成されている。上面部２２は、のぼり木６０の上方に位置している。外垂下部２３は上面部２２の外側端縁（ケラバ側端縁）から下方に向かって突出しており、のぼり木６０及び野地板１１１の外面（ケラバ端面）に当接するように位置している。外垂下部２３は釘等の固定具２７でのぼり木６０に固定され、これにより、ケラバ水切り２０がケラバ１８に取り付けられている。庇部２４は、上面部２２の内側端縁（外垂下部２３と反対側の端部）に位置し、内側端縁から上面部２２の裏側に折り返して形成されている。内垂下部２５はのぼり木６０の内側に位置し、庇部２４ののぼり木６０側の端縁から下方に向かって延設している。下面部２６は内垂下部２５の下端縁から内側に向かって延設している。下面部２６は端部下葺き材６２の上に配置されている。ケラバ水切り２０はすがり屋根１１のケラバ１８の略全長にわたって設けられる。すなわち、ケラバ水切り２０の軒側端部（下端部）は軒先水切り６３に重なる位置まで達しており、ケラバ水切り２０の棟側端部２１（上端部）は本体屋根１２の軒１３にまで達している（図２参照）。ケラバ水切り２０の外垂下部２３は、本体屋根１２の軒１３の付近において軒先水切り７１と干渉する部分を折り曲げ又は切除して納められる。
【００１８】
なお、図５に示すように、野地板１１１の下面には垂木８３が設けられており、垂木８３には破風下地材８１が取り付けられている。また破風下地材８１の外側には破風板８０が取り付けられており、破風下地材８１の内側には野縁８４が設けられている。そして、破風下地材８１の下側及び野縁８４の下側に天井板８２が取り付けられている。
【００１９】
次に、図６Ａ及び図６Ｂに示すように、腰折れすがり水切り３０を配置する。腰折れすがり水切り３０は、本体屋根１２からすがり屋根１１のケラバ水切り２０の棟側端部に被さるように取り付けられる。
【００２０】
腰折れすがり水切り３０は、ケラバ水切り２０の棟側端部２１に被さる被せ部３３を有する。被せ部３３は、被せ上面部３６と、被せ上面部３６の両側端部及び棟側端部から下方に向かって突出する周面部３７とを有し、前方（軒に向く方向）と下方とに開口するように形成されている。また被せ上面部３６は、被せ部３３をケラバ水切り２０の棟側端部２１に被せたときに、ケラバ水切り２０の上面部２２に密着するように形成されている。すなわち、ケラバ水切り２０の上面部２２と被せ部３３の被せ上面部３６とは、取り付け状態において略同じ角度に傾斜している。またケラバ水切り２０の庇部２４の棟側端部は切除されて切欠部２８が形成されており、切欠部２８には被せ部３３のすがり屋根１１側の軒側端部（すがり屋根１１側の周面部３７の軒側端部）が挿入されている。
【００２１】
周面部３７の下端には、水切り片３１が被せ部３３の外方に突出するように形成されている。水切り片３１は、被せ部３３の腰折れ部１４側の周面部３７の下端から腰折れ部１４の方向に延設され腰折れ部１４に沿うよう屈曲する曲げ部３５を備える屈曲水切り片３０１と、被せ部３３の本体屋根１２の軒１３側の周面部３７の下端から本体屋根１２の軒１３の方向（屈曲水切り片３０１と反対方向）に延設される平板水切り片３０２と、被せ部３３の本体屋根１２の棟１５側の周面部３７の下端から本体屋根１２の棟１５の方向に延設される棟側水切り片３０３とが一体に成形されている。屈曲水切り片３０１は曲げ部３５の位置において、腰折れ部１４に沿うように曲がっている。すなわち、屈曲水切り片３０１は腰折れ部１４上において、下向きに凸になるように略く字状に曲がっている（図３Ｘ２参照）。これにより、すがり屋根１１と本体屋根１２との谷折れ状の勾配に沿って配置しやすくなり、下葺き材６１及び端部下葺き材６２と水切り片３１との間に隙間が生じにくくなって、防水性が向上する。
【００２２】
また、腰折れすがり水切り３０は、被せ部３３の本体屋根１２の軒１３側の周面部３７の下端から本体屋根１２の軒１３の方向に延設される平板水切り片３０２の軒側端部に被せ部３３から離反する方向に雨水を誘導する誘導片３２を備える。すなわち、誘導片３２は、平板水切り片３０２の軒側端縁から上方に向かって突出するように形成されている。また、誘導片３２は、腰折れすがり水切り３０をケラバ水切り２０の棟側端部２１に取り付けた状態で、本体屋根１２の軒先水切り７１よりもわずかに突出する位置（軒１３の外方）に配置されている。また誘導片３２は、腰折れすがり水切り３０の被せ部３３から離反する方向において、基部から先端に向かって、本体屋根１２の軒１３から徐々に離れる方向に傾斜している。本実施形態では、腰折れすがり水切り３０が誘導片３２を備えることにより、本体屋根１２の軒１３の外方で水を軒樋等に誘導することができ、腰折れすがり水切り３０の周辺に流れ着く雨水等をスムーズに排水することができ、防水性が向上する。なお、腰折れすがり水切り３０は、被せ部３３の本体屋根１２の軒１３側の周面部３７から釘などの固定具２７をのぼり木６０に打ち込んで固定される。
【００２３】
腰折れすがり水切り３０は、腰折れ部１４を挟んで野地板１１１の上と野地板１２１の上とにわたるように配置されている下葺き材６１の上に設けられる。なお、防水性を向上させるため、下葺き材６１の棟１５側の端縁は、腰折れすがり水切り３０の棟側水切り片３０３の棟１５側の端縁より１００ｍｍ以上の防水代Ｌを確保できるよう棟１５側に位置して配されている。また、下葺き材６１の本体屋根１２のケラバ側の端縁は、腰折れすがり水切り３０の平板水切り片３０２の本体屋根１２のケラバ側の端縁より２００ｍｍ以上の防水代Ｍを確保できるよう本体屋根１２のケラバ側に位置して配されている。
【００２４】
次に、図７Ａに示すように、上記のようにして腰折れすがり水切り３０を取り付けた後、すがり屋根１１に軒１７から腰折れ部１４にわたり屋根材４０が配置される。屋根材４０は窯業系の板材で形成されている。例えば、複数の屋根材４０は、下葺き材６１上に、軒・腰折れ部方向には、屋根材４０の一部が３重になるよう半分超重ねて配置され、軒・腰折れ部方向と直行する方向には、千鳥葺き等で配置される。ケラバ１８に沿って配置される屋根材４０は、ケラバ１８側の端部が内垂下部２５に近接するよう下面部２６に重ねて配置される（図５参照）。また、腰折れ部１４の近傍では、３重の下段の屋根材４０は、腰折れ部１４側の端縁が腰折れ部１４に略一致するように配置される。３重の中段の屋根材４０は、棟１５側の端縁が、腰折れ部１４を挟んで野地板１１１の上と野地板１２１の上とにわたるように配置されている下葺き材６１の野地板１２１側の上に達するよう、腰折れ部１４を跨ぐようにして配置される。３重の上段の屋根材４０は、棟１５側の端縁が中段の屋根材４０の棟１５側の端縁に略一致するように配置されている。この場合、下段、中段、上段のそれぞれの屋根材４０は必要に応じて切断されて寸法調整される。（図３Ｘ１及びＸ２参照）。すなわち、すがり屋根１１の最も腰折れ部１４側に配置される屋根材４０は、野地板１１１に配置された下葺き材６１上と、野地板１２１に配置された下葺き材６１上にわたって配置される。
【００２５】
次に、図７Ａに示すように、腰折れ水切り５０を配置する。腰折れ水切り５０は鋼板製であって、腰折れ部１４の近傍において、すがり屋根１１に配置された屋根材４０上に一部が被さるように位置する。また、腰折れ水切り５０は、一部が後述する本体屋根１２に配置された屋根材４１の下に位置する。すなわち、腰折れ水切り５０は、本体屋根１２上の屋根材４１の下からすがり屋根１１の屋根材４０の上にわたって配置される。これにより、雨水が、本体屋根１２上の屋根材４１の上面から腰折れ水切り５０の上面を流れ、更にすがり屋根１１の屋根材４０の上面へと流れるようになるため、腰折れ部１４を介して雨水をスムーズに流すことができる。
【００２６】
腰折れ水切り５０は、腰折れ部１４と略同じ角度の谷折れ状の谷折れ部５１を有する。すなわち、腰折れ水切り５０は、谷折れ部５１を挟んで本体屋根１２の屋根材４１と野地板１２１の間に位置する本体屋根側水切り片５０１と、すがり屋根１１の屋根材４０に被さるすがり屋根側水切り片５０２を有する。そして、施工された腰折れ水切り５０は、谷折れ部５１が腰折れ部１４よりも棟側に位置している（図３Ｘ１及びＸ２参照）。これにより、腰折れ水切り５０のすがり屋根側水切り片５０２がすがり屋根１１に配置された屋根材４０の上面に面で接触するため載せやすく、施工がしやすくなる。
【００２７】
また腰折れ水切り５０は、腰折れ部１４の略全長にわたって配置される。腰折れ水切り５０の腰折れすがり水切り３０側の端部は、屈曲水切り片３０１の上に載せられる。また腰折れ水切り５０の本体屋根側水切り片５０１は、本体屋根１２において、下葺き材６１の上に載置される。また、すがり屋根側水切り片５０２と屋根材４０の間には、腰折れ水切り５０の軒方向の略全長にわたってシーリング材７３が設けられており、防水性を向上させる。
【００２８】
上記のように、腰折れ水切り５０を配置した後、図７Ｂに示すように、本体屋根１２に更に下葺き材７０を配置する。下葺き材７０は上記下葺き材６１及び端部下葺き材６２と同様にアスファルトルーフィング等のシート材である。下葺き材７０は本体屋根１２の野地板１２１上に略全面にわたって配置される。また下葺き材７０は、腰折れすがり水切り３０の被せ部３３の本体屋根１２の棟１５側の周面部３７より僅かに棟１５側であって、腰折れ水切り５０の本体屋根側水切り片５０１及び腰折れすがり水切り３０の棟側水切り片３０３に被さる位置から配置される。これにより、腰折れ水切り５０及び腰折れすがり水切り３０の下側に水が入り込みにくくなる。下葺き材７０は、腰折れ水切り５０の本体屋根側水切り片５０１の中程まで被さっており、谷折れ部５１付近及びすがり屋根側水切り片５０２には配置されない。すなわち、下葺き材７０で覆われていない腰折れ水切り５０の部分は外部に露出している。なお、本実施例においては、下葺き材６１を本体屋根１２の軒１３全長にわたって軒先水切り７１の上に被さるよう配置し、下葺き材６１の棟側端部の上に１００ｍｍ以上の重ね代を確保して被さるように下葺き材７０が配置されているが、下葺き材６１の本体屋根１２のケラバ側の端縁は、腰折れすがり水切り３０の平板水切り片３０２の本体屋根１２のケラバ側の端縁より２００ｍｍ以上の防水代Ｍを確保できるよう本体屋根１２のケラバ側に位置して配置されていれば良いものであり、この場合は、下葺き材７０を本体屋根１２の軒１３の略全長にわたって軒先水切り７１の上に被さるよう配置する。
【００２９】
上記のように、下葺き材７０を配置した後、本体屋根１２に屋根材４１が配置される。屋根材４１は屋根材４０と同様の窯業系の板材で形成されている。例えば、複数の屋根材４１は、野地板１２１に配置された下葺き材７０上に、軒・棟方向には、屋根材４１の一部が３重になるよう半分超重ねて配置され、軒・棟方向と直交する方向には、千鳥葺き等で配置される。また、腰折れ水切り５０及び腰折れすがり水切り３０が設けられた部分においては、腰折れすがり水切り３０の被せ部３３の本体屋根１２の棟１５側の周面部３７に屋根材４１の軒側端面が略当接するよう隣接して棟側水切り片３０３の上に配置し、腰折れ水切り５０上の屋根材４１の軒側端面も揃うように配置される。このように、下葺き材７０で覆われていない腰折れ水切り５０の部分は屋根材４１も配置されず外部に露出している。ここで、被せ部３３の棟側に隣接して配置される屋根材４２の上面４３の高さ位置と、被せ部３３の棟側端部３４の高さ位置とが同等である（図３Ｘ３及びＸ４参照）。これにより、被せ部３３が目立ちにくくなり、外観が損なわれにくい。なお、符号４５、４６は屋根材４１と同等の屋根材であるが、屋根材４１よりも軒棟方向の寸法が小さいスタータ屋根材である。本実施形態において、「同等」とは、厳密な意味での同等でなく、略同等を含む。
【００３０】
そして上記のように形成される腰折れすがり屋根１は、すがり屋根１１と本体屋根１２の境界部分に腰折れ水切り５０を設け、特にすがり屋根１１のケラバ１８と本体屋根１２の軒１３の交差部に腰折れすがり水切り３０を設けているので、すがり屋根１１のケラバ１８に雨水が侵入しにくくなり、防水性を確保しやすい。
【００３１】
（変形例）
上記本実施形態は、本開示の様々な実施形態の一つに過ぎない。本実施形態は、本開示の目的を達成できれば、設計等に応じて種々の変更が可能である。
【００３２】
上記では、本体屋根１２は、切妻屋根の片側の傾斜面である場合について説明したが、これに限られず、本体屋根１２は、寄棟屋根、片流れ屋根、方形屋根、入母屋屋根などの各種の屋根の平部であってもよい。
【００３３】
上記では、すがり屋根１１の勾配が本体屋根１２の勾配よりも緩い（緩勾配）である場合について説明したが、これに限られず、すがり屋根１１の勾配が本体屋根１２の勾配よりも急（急勾配）であってもよい。
【００３４】
上記では、腰折れすがり水切り３０と干渉するケラバ水切り２０の庇部２４の棟側端部を切除する場合について説明したが、これに限られず、腰折れすがり水切り３０に、ケラバ水切り２０の庇部２４が挿入される鍔部を形成してあってもよい。この場合は、庇部２４を切除する必要がなく、施工が容易になる。なお、鍔部は庇部２４が挿入される側と反対方向（本体屋根１２の軒１３側）にも設けてよく、防水性が向上する。
【符号の説明】
【００３５】
１  腰折れすがり屋根
１１  すがり屋根
１２  本体屋根
１３  軒
１４  腰折れ部
１８  ケラバ
１２１  野地板
２０  ケラバ水切り
３０  腰折れすがり水切り
３２  誘導片
３３  被せ部
３０１  屈曲水切り片
３０２  平板水切り片
４０  屋根材
４１  屋根材
４３  上面
５０  腰折れ水切り
５１  谷折れ部
５０１  本体屋根側水切り片
５０２  すがり屋根側水切り片
【図１】
2020186555.tif 000003
【図２】
2020186555.tif 000004
【図３】
2020186555.tif 000005
【図４】
2020186555.tif 000006
【図５】
2020186555.tif 000007
【図６】
2020186555.tif 000008
【図７】
2020186555.tif 000009